【手続補正書】
【提出日】平成25年4月12日(2013.4.12)
【手続補正１】
【補正対象書類名】特許請求の範囲
【補正対象項目名】全文
【補正方法】変更
【補正の内容】
【特許請求の範囲】
【請求項１】
水中の地盤に下端部が埋設又は設置された複数の基礎支柱と、前記複数の基礎支柱によって支持された上部構造体とを有する水上人工地盤であって、
前記上部構造体は、複数のユニットブロックからなり、
前記ユニットブロックは、その両端部に他のユニットブロックを連結固定するための連結機構を有しており、該連結機構は少なくともユニットブロック端部の左右の上部及び下部に設けられており、ユニットブロックの一方の端部の左右部分には上下方向に基礎支柱頭固定用管が設けられており、
上部構造体は隣接するユニットブロック同士が前記連結機構によって連結されることによって構築されており、
前記基礎支柱頭固定用管を介して基礎支柱が水中の地盤に埋設又は設置されている
ことを特徴とする水上人工地盤。
【請求項２】
前記ユニットブロックは、上方に配置された少なくとも２本の上部主桁と、該上部主桁の下方に上部主桁と平行に配置された２本の下部主桁と、主桁同士を連結固定する補強部材とを有し、前記上部主桁及び下部主桁の両端部には他のユニットブロックを連結固定するための連結機構が設けられており、基礎支柱頭固定用管の上下端部は、主桁の端部に設けられた基礎支柱挿通用の開口に連通するように主桁に固定されていることを特徴とする請求項１に記載の水上人工地盤。
【請求項３】
前記ユニットブロックは、上方に配置された少なくとも２本の上部主桁と、上部主桁の下方に上部主桁と平行に配置された２本の下部主桁と、主桁同士を連結固定する補強部材とを有し、前記上部主桁の両端部には他のユニットブロックを連結固定するための連結機構が設けられており、基礎支柱頭固定用管の上端部分は上部主桁に設けられた基礎支柱挿通用の開口に連通するように上部主桁に固定されており、基礎支柱頭固定用管の下方部分の外側には他のユニットブロックを連結固定するための連結機構が設けられており、基礎支柱頭固定用管の下方部分の内側には前記下部主桁の一方の端部が固定されており、前記下部主桁の他方の端部には他のユニットブロックを連結固定するための連結機構が設けられていることを特徴とする請求項１に記載の水上人工地盤。
【請求項４】
前記連結機構は、連結された部材同士がはずれないようにストッパー部材を備えていることを特徴とする請求項１〜３のいずれかに記載の水上人工地盤。
【請求項５】
前記ユニットブロックが延長している方向とは直角の方向に、前記ユニットブロックに対して他のユニットブロックが連結機構によって連結され、更に、前記他のユニットブロックに他のユニットブロックが連結機構によって連結されるという工程を繰り返して構築されたことを特徴とする請求項１〜４のいずれかに記載の水上人工地盤。
【請求項６】
水中の地盤に下端部が埋設又は設置された複数の基礎支柱と、前記複数の基礎支柱によって支持された上部構造体とを有する水上人工地盤の構築方法であって、上部構造体を複数のユニットブロックに分割し、該ユニットブロックはその両端部に他のユニットブロックを連結固定するための連結機構を有しており、該連結機構は少なくともユニットブロック端部の左右の上部及び下部に設けられており、ユニットブロックの一方の端部の左右部分には上下方向に基礎支柱頭固定用管が設けられており、既設水上人工地盤の既設ユニットブロックから、未設ユニットブロックを片持ち状に張り出して、前記連結機構によって未設ユニットブロックを既設ユニットブロックに架設保持したのち、前記未設ユニットブロックの前記基礎支柱頭固定用管を介して基礎支柱を水中の地盤に埋設又は設置して水上人工地盤を延長する工程を反復することを特徴とする水上人工地盤の構築方法。
【請求項７】
前記ユニットブロックは、上方に配置された少なくとも２本の上部主桁と、該上部主桁の下方に上部主桁と平行に配置された２本の下部主桁と、主桁同士を連結固定する補強部材とを有し、前記上部主桁及び下部主桁の両端部には他のユニットブロックを連結固定するための連結機構が設けられており、基礎支柱頭固定用管の上下端部は、主桁の端部に設けられた基礎支柱挿通用の開口に連通するように主桁に固定されていることを特徴とする請求項６に記載の水上人工地盤の構築方法。
【請求項８】
前記ユニットブロックは、上方に配置された少なくとも２本の上部主桁と、上部主桁の下方に上部主桁と平行に配置された２本の下部主桁と、主桁同士を連結固定する補強部材とを有し、前記上部主桁の両端部には他のユニットブロックを連結固定するための連結機構が設けられており、基礎支柱頭固定用管の上端部分は上部主桁に設けられた基礎支柱挿通用の開口に連通するように上部主桁に固定されており、基礎支柱頭固定用管の下方部分の外側には他のユニットブロックを連結固定するための連結機構が設けられており、基礎支柱頭固定用管の下方部分の内側には前記下部主桁の一方の端部が固定されており、前記下部主桁の他方の端部には他のユニットブロックを連結固定するための連結機構が設けられていることを特徴とする請求項６に記載の水上人工地盤の構築方法。
【請求項９】
前記連結機構は、連結された部材同士がはずれないようにストッパー部材を備えていることを特徴とする請求項６〜８のいずれかに記載の水上人工地盤の構築方法。
【請求項１０】
更に、前記の既設ユニットブロックに、水上人工地盤を延長した方向とは直角方向に未設ユニットブロックを連結機構によって架設し保持したのち、前記未設ユニットブロックの基礎支柱頭固定用管を介して基礎支柱を水中の地盤に埋設又は設置して水上人工地盤を延長する工程を行ない、この工程を反復することによって水上人工地盤を延長することを特徴とする請求項６〜９のいずれかに記載の水上人工地盤の構築方法。
【請求項１１】
請求項６〜１０のいずれかに記載の水上人工地盤の構築方法に用いられるユニットブロックであって、上方に配置された少なくとも２本の上部主桁と、該上部主桁の下方に上部主桁と平行に配置された２本の下部主桁と、主桁同士を連結固定する補強部材とを有し、前記上部主桁及び下部主桁の両端部には他のユニットブロックを連結固定するための連結機構が設けられており、基礎支柱頭固定用管の上下端部は、主桁の端部に設けられた基礎支柱挿通用の開口に連通するように主桁に固定されていることを特徴とするユニットブロック。
【請求項１２】
前記主桁の一方の端部にストッパー要素ａが設けられ他方の端部にストッパー要素ｂが設けられ、ストッパー要素ａ及びストッパー要素ｂはそれぞれ他のユニットブロックに設けたストッパー要素ｂ及びストッパー要素ａと係合することによってユニットブロック同士のずれを防止するストッパー機構を構成することを特徴とする請求項１１記載のユニットブロック。
【請求項１３】
請求項６〜１０のいずれかに記載の水上人工地盤の構築方法に用いられるユニットブロックであって、上方に配置された少なくとも２本の上部主桁と、該上部主桁の下方に主桁と平行に配置された２本の下部主桁と、主桁同士を連結固定する補強部材とを有し、前記上部主桁の両端部には他のユニットブロックを連結固定するための連結機構が設けられており、基礎支柱頭固定用管の上端部分は上部主桁に設けられた基礎支柱挿通用の開口に連通するように上部主桁に固定されており、基礎支柱頭固定用管の下方部分の外側には他のユニットブロックを連結固定するための連結機構が設けられており、基礎支柱頭固定用管の下方部分の内側には前記下部主桁の一方の端部が固定されており、前記下部主桁の他方の端部には他のユニットブロックを連結固定するための連結機構が設けられていることを特徴とするユニットブロック。
【請求項１４】
前記上部主桁及び下部主桁の一方の端部にストッパー要素ａが設けられ、前記上部主桁及び下部主桁の他方の端部にストッパー要素ｂが設けられ、ストッパー要素ａ及びストッパー要素ｂはそれぞれ他のユニットブロックに設けたストッパー要素ｂ及びストッパー要素ａと係合することによってユニットブロック同士のずれを防止するストッパー機構を構成することを特徴とする請求項１３記載のユニットブロック。
【請求項１５】
請求項１０に記載の水上人工地盤に用いられるブロックユニットであって、上方に配置された少なくとも１本のＬ字型の上部主桁と、前記上部主桁の下方に上部主桁と平行に配置された１本のＬ字型の下部主桁と、主桁同士を連結固定する補強部材と、上下端部を主桁のＬ字の角部に設けられた基礎支柱挿通用の開口に連通するように主桁に固定された基礎支柱頭固定用管とを有し、前記上部主桁及び下部主桁のそれぞれの両端部及びＬ字の角部には他のユニットブロックを連結固定するための連結機構が設けられていることを特徴とするユニットブロック。
【手続補正２】
【補正対象書類名】明細書
【補正対象項目名】発明の名称
【補正方法】変更
【補正の内容】
【発明の名称】水上人工地盤及びその構築方法
【手続補正３】
【補正対象書類名】明細書
【補正対象項目名】０００８
【補正方法】変更
【補正の内容】
【０００８】
（１）水中の地盤に下端部が埋設又は設置された複数の基礎支柱と、前記複数の基礎支柱によって支持された上部構造体とを有する水上人工地盤であって、
前記上部構造体は、複数のユニットブロックからなり、
前記ユニットブロックは、その両端部に他のユニットブロックを連結固定するための連結機構を有しており、該連結機構は少なくともユニットブロック端部の左右の上部及び下部に設けられており、ユニットブロックの一方の端部の左右部分には上下方向に基礎支柱頭固定用管が設けられており、
上部構造体は隣接するユニットブロック同士が前記連結機構によって連結されることによって構築されており、
前記基礎支柱頭固定用管を介して基礎支柱が水中の地盤に埋設又は設置されている
ことを特徴とする水上人工地盤。
（２）前記ユニットブロックは、上方に配置された少なくとも２本の上部主桁と、該上部主桁の下方に上部主桁と平行に配置された２本の下部主桁と、主桁同士を連結固定する補強部材とを有し、前記上部主桁及び下部主桁の両端部には他のユニットブロックを連結固定するための連結機構が設けられており、基礎支柱頭固定用管の上下端部は、主桁の端部に設けられた基礎支柱挿通用の開口に連通するように主桁に固定されていることを特徴とする上記（１）に記載の水上人工地盤。
（３）前記ユニットブロックは、上方に配置された少なくとも２本の上部主桁と、上部主桁の下方に上部主桁と平行に配置された２本の下部主桁と、主桁同士を連結固定する補強部材とを有し、前記上部主桁の両端部には他のユニットブロックを連結固定するための連結機構が設けられており、基礎支柱頭固定用管の上端部分は上部主桁に設けられた基礎支柱挿通用の開口に連通するように上部主桁に固定されており、基礎支柱頭固定用管の下方部分の外側には他のユニットブロックを連結固定するための連結機構が設けられており、基礎支柱頭固定用管の下方部分の内側には前記下部主桁の一方の端部が固定されており、前記下部主桁の他方の端部には他のユニットブロックを連結固定するための連結機構が設けられていることを特徴とする上記（１）に記載の水上人工地盤。
（４）前記連結機構は、連結された部材同士がはずれないようにストッパー部材を備えていることを特徴とする上記（１）〜（３）のいずれかに記載の水上人工地盤。
（５）前記ユニットブロックが延長している方向とは直角の方向に、前記ユニットブロックに対して他のユニットブロックが連結機構によって連結され、更に、前記他のユニットブロックに他のユニットブロックが連結機構によって連結されるという工程を繰り返して構築されたことを特徴とする上記（１）〜（４）のいずれかに記載の水上人工地盤。
（６）水中の地盤に下端部が埋設又は設置された複数の基礎支柱と、前記複数の基礎支柱によって支持された上部構造体とを有する水上人工地盤の構築方法であって、上部構造体を複数のユニットブロックに分割し、該ユニットブロックはその両端部に他のユニットブロックを連結固定するための連結機構を有しており、該連結機構は少なくともユニットブロック端部の左右の上部及び下部に設けられており、ユニットブロックの一方の端部の左右部分には上下方向に基礎支柱頭固定用管が設けられており、既設水上人工地盤の既設ユニットブロックから、未設ユニットブロックを片持ち状に張り出して、前記連結機構によって未設ユニットブロックを既設ユニットブロックに架設保持したのち、前記未設ユニットブロックの前記基礎支柱頭固定用管を介して基礎支柱を水中の地盤に埋設又は設置して水上人工地盤を延長する工程を反復することを特徴とする水上人工地盤の構築方法。
（７）前記ユニットブロックは、上方に配置された少なくとも２本の上部主桁と、該上部主桁の下方に上部主桁と平行に配置された２本の下部主桁と、主桁同士を連結固定する補強部材とを有し、前記上部主桁及び下部主桁の両端部には他のユニットブロックを連結固定するための連結機構が設けられており、基礎支柱頭固定用管の上下端部は、主桁の端部に設けられた基礎支柱挿通用の開口に連通するように主桁に固定されていることを特徴とする上記（６）に記載の水上人工地盤の構築方法。
（８）前記ユニットブロックは、上方に配置された少なくとも２本の上部主桁と、上部主桁の下方に上部主桁と平行に配置された２本の下部主桁と、主桁同士を連結固定する補強部材とを有し、前記上部主桁の両端部には他のユニットブロックを連結固定するための連結機構が設けられており、基礎支柱頭固定用管の上端部分は上部主桁に設けられた基礎支柱挿通用の開口に連通するように上部主桁に固定されており、基礎支柱頭固定用管の下方部分の外側には他のユニットブロックを連結固定するための連結機構が設けられており、基礎支柱頭固定用管の下方部分の内側には前記下部主桁の一方の端部が固定されており、前記下部主桁の他方の端部には他のユニットブロックを連結固定するための連結機構が設けられていることを特徴とする上記（６）に記載の水上人工地盤の構築方法。
（９）前記連結機構は、連結された部材同士がはずれないようにストッパー部材を備えていることを特徴とする上記（６）〜（８）のいずれかに記載の水上人工地盤の構築方法。
（１０）更に、前記の既設ユニットブロックに、水上人工地盤を延長した方向とは直角方向に未設ユニットブロックを連結機構によって架設し保持したのち、前記未設ユニットブロックの基礎支柱頭固定用管を介して基礎支柱を水中の地盤に埋設又は設置して水上人工地盤を延長する工程を行ない、この工程を反復することによって水上人工地盤を延長することを特徴とする上記（６）〜（９）のいずれかに記載の水上人工地盤の構築方法。
（１１）上記（６）〜（１０）のいずれかに記載の水上人工地盤の構築方法に用いられるユニットブロックであって、上方に配置された少なくとも２本の上部主桁と、該上部主桁の下方に上部主桁と平行に配置された２本の下部主桁と、主桁同士を連結固定する補強部材とを有し、前記上部主桁及び下部主桁の両端部には他のユニットブロックを連結固定するための連結機構が設けられており、基礎支柱頭固定用管の上下端部は、主桁の端部に設けられた基礎支柱挿通用の開口に連通するように主桁に固定されていることを特徴とするユニットブロック。
（１２）前記主桁の一方の端部にストッパー要素ａが設けられ他方の端部にストッパー要素ｂが設けられ、ストッパー要素ａ及びストッパー要素ｂはそれぞれ他のユニットブロックに設けたストッパー要素ｂ及びストッパー要素ａと係合することによってユニットブロック同士のずれを防止するストッパー機構を構成することを特徴とする上記（１１）記載のユニットブロック。
（１３）上記（６）〜（１０）のいずれかに記載の水上人工地盤の構築方法に用いられるユニットブロックであって、上方に配置された少なくとも２本の上部主桁と、該上部主桁の下方に主桁と平行に配置された２本の下部主桁と、主桁同士を連結固定する補強部材とを有し、前記上部主桁の両端部には他のユニットブロックを連結固定するための連結機構が設けられており、基礎支柱頭固定用管の上端部分は上部主桁に設けられた基礎支柱挿通用の開口に連通するように上部主桁に固定されており、基礎支柱頭固定用管の下方部分の外側には他のユニットブロックを連結固定するための連結機構が設けられており、基礎支柱頭固定用管の下方部分の内側には前記下部主桁の一方の端部が固定されており、前記下部主桁の他方の端部には他のユニットブロックを連結固定するための連結機構が設けられていることを特徴とするユニットブロック。
（１４）前記上部主桁及び下部主桁の一方の端部にストッパー要素ａが設けられ、前記上部主桁及び下部主桁の他方の端部にストッパー要素ｂが設けられ、ストッパー要素ａ及びストッパー要素ｂはそれぞれ他のユニットブロックに設けたストッパー要素ｂ及びストッパー要素ａと係合することによってユニットブロック同士のずれを防止するストッパー機構を構成することを特徴とする上記（１３）記載のユニットブロック。
（１５）上記（１０）に記載の水上人工地盤に用いられるブロックユニットであって、上方に配置された少なくとも１本のＬ字型の上部主桁と、前記上部主桁の下方に上部主桁と平行に配置された１本のＬ字型の下部主桁と、主桁同士を連結固定する補強部材と、上下端部を主桁のＬ字の角部に設けられた基礎支柱挿通用の開口に連通するように主桁に固定された基礎支柱頭固定用管とを有し、前記上部主桁及び下部主桁のそれぞれの両端部及びＬ字の角部には他のユニットブロックを連結固定するための連結機構が設けられていることを特徴とするユニットブロック。
【手続補正４】
【補正対象書類名】明細書
【補正対象項目名】００３０
【補正方法】変更
【補正の内容】
【００３０】
上記では、水上人工地盤をユニットブロックを張り出す方向に延長していく構築方法について述べたが、以下では、水上人工地盤をユニットブロックを張り出す方向と直角の方向（以下、水平方向という）に延長していく構築方法について述べる。
図１３は水上人工地盤を水平方向に延長していくために使用されるユニットブロックの一例を示した図である。このユニットブロックは既設ユニットブロックの主桁を共有する形となるため、図１に示したユニットブロックから主桁及び補強部材の一部を除いたような形状及び構造となっており、１本の上部主桁１、１本の下部主桁４、基礎支柱頭固定用管３及び補強部材５を含んでいる。
すなわち、図１３に示されているユニットブロックは、上方に配置された少なくとも１本のＬ字型の上部主桁と、前記上部主桁の下方に上部主桁と平行に配置された１本のＬ字型の下部主桁と、主桁同士を連結固定する補強部材と、上下端部を主桁のＬ字の角部に設けられた基礎支柱挿通用の開口に連通するように主桁に固定された基礎支柱頭固定用管とを有し、前記上部主桁及び下部主桁のそれぞれの両端部及びＬ字の角部には他のユニットブロックを連結固定するための連結機構が設けられている。